(57)【要約】【課題】使用者の負担がなく、長期的に頭皮ケアの継続が可能な育毛装置を提供する。【解決手段】頭部を保持する頭部保持部１０と、頭部保持部１０内に設けられ、毛髪の成長を促進させる光を照射する内蔵光源ユニット２０と、頭部保持部１０と別離して設けられ、毛髪の成長を促進させる光を照射する外部光源ユニット３０ａとを備え、内蔵光源ユニット２０及び外部光源ユニット３０ａが連動して頭部保持部１０に頭部を載せた使用者の頭部に光照射を行う。【選択図】図１
2012011126.tif 000002
【特許請求の範囲】
【請求項１】
頭部を保持する頭部保持部と、
前記頭部保持部内に設けられ、毛髪の成長を促進させる光を照射する内蔵光源ユニットと、
前記頭部保持部と別離して設けられ、毛髪の成長を促進させる光を照射する外部光源ユニット
とを備え、前記内蔵光源ユニット及び前記外部光源ユニットが連動して前記頭部保持部に頭部を載せた使用者の頭部に光照射を行うことを特徴とする育毛装置。
【請求項２】
前記外部光源ユニットは、前記頭部及び前記頭部保持部に非接触となるドーム状であることを特徴とする請求項１に記載の育毛装置。
【請求項３】
前記頭部保持部は、頭部位置を検出する頭部位置検出センサを備え、
前記内蔵光源ユニットは、前記頭部位置検出センサで検出した前記頭部位置に対して光を照射することを特徴とする請求項１又は２に記載の育毛装置。
【請求項４】
前記外部光源ユニットは、水平方向に光を照射する面光源であり、前記頭部位置検出センサで検出した前記頭部位置に対して光を照射することを特徴とする請求項３に記載の育毛装置。
【請求項５】
前記外部光源ユニットは、稼動軸によって支持されていて、前記頭部位置検出センサで検出した前記頭部位置に対して光を照射できるように、前記稼動軸を稼動させることを特徴とする請求項３に記載の育毛装置。
【発明の詳細な説明】
【技術分野】
【０００１】
本発明は、頭皮に光を照射して毛髪の成長を促進させる育毛装置に関する。
【背景技術】
【０００２】
従来、皮膚に軽い炎症を起こさせることで体毛の発育を加速させるようにした技術が知られている。効果が高いとされているこの手法は、薬剤などで炎症を起こさせるものであるが、このような薬剤の使用は、しばしば軽度の肌荒れを生じさせると共に、痛みや感染症などの問題を有している。
【０００３】
６３０ｎｍ〜６８０ｎｍの波長を発光する赤色レーザーダイオードと７５０ｎｍ〜１０００ｎｍの波長を発光する近赤外線レーザーダイオードを交互に配置したブラシ型のレーザー照射器によって、毛嚢細胞の活性化と血流増加を促す育毛促進デバイスの技術がある（例えば、特許文献１参照。）。また、頭部に装着することによって、毛嚢細胞の活性化と血流増加を促す育毛促進デバイスの技術がある（例えば、特許文献２参照。）。
【０００４】
これら光照射による育毛促進デバイスや育毛剤などに共通しているのは、育毛のための頭皮ケアは定期的（1日1回など）に行う必要があり、かつ、使用を停止すると徐々に効果が無くなっていくため、使用し続ける必要がある。また、好適な効果を得るためには、光照射は瞬時ではなく、ある程度の時間を必要とする。
【０００５】
上記のように頭髪の状態を好適に保つためには、毎日所定の時間を頭皮ケアに割く必要があるため、長期的に使用し続けるには、使用者が能動的に使用するタイプの育毛促進デバイス（ブラシ型）では、使用者の負担が大きくなってしまう。また、頭部に装着し自動照射する育毛促進デバイス（頭部装着型）の場合も、その重さや装着時の圧迫感などが使用者の負担となる。一般的に、光のパワーが大きく、良い効果を得られるデバイスほど、装置は大きく、装着には負担を生じる。
【先行技術文献】
【特許文献】
【０００６】
【特許文献１】特表２００７−５３７８１９号公報
【特許文献２】国際公開第２００４／０２６４００号パンフレット
【発明の概要】
【発明が解決しようとする課題】
【０００７】
本発明は、このような従来技術の有する課題に鑑みてなされたものである。そして、本発明の目的は、使用者の負担がなく、長期的に頭皮ケアの継続が可能な育毛装置を提供することにある。
【課題を解決するための手段】
【０００８】
本願発明の一態様によれば、頭部を保持する頭部保持部と、頭部保持部内に設けられ、毛髪の成長を促進させる光を照射する内蔵光源ユニットと、頭部保持部と別離して設けられ、毛髪の成長を促進させる光を照射する外部光源ユニットとを備え、内蔵光源ユニット及び外部光源ユニットが連動して頭部保持部に頭部を載せた使用者の頭部に光照射を行う育毛装置であることを要旨とする。
【発明の効果】
【０００９】
本発明によれば、使用者の負担がなく、長期的に頭皮ケアの継続が可能な育毛装置を提供することができる。
【図面の簡単な説明】
【００１０】
【図１】図１（ａ）は、本発明の第１の実施の形態に係る育毛装置の模式的概略図であり、図１（ｂ）は、図１（ａ）のＡ方向から見た模式的概略図である。
【図２】本発明の第１の実施の形態に係る育毛装置の頭部保持部及び内蔵光源ユニットの模式的概略図である。
【図３】図３（ａ）は、本発明の第２の実施の形態に係る育毛装置の模式的概略図であり、図３（ｂ）は、図３（ａ）のＡ方向から見た模式的概略図である。
【図４】本発明の第３の実施の形態に係る型育毛装置の模式的概略図である。
【発明を実施するための形態】
【００１１】
以下に図面を参照して、本発明の実施の形態を説明する。以下の図面の記載において、同一又は類似の部分には同一又は類似の符号で表している。但し、図面は模式的なものであり、厚みと平面寸法との関係、各層の厚みの比率等は現実のものとは異なる。したがって、具体的な厚みや寸法は以下の説明を照らし合わせて判断するべきものである。また、図面相互間においても互いの寸法の関係や比率が異なる部分が含まれていることは勿論である。
【００１２】
（第１の実施の形態）
本発明の第１の実施の形態に係る育毛装置は、図１（ａ）及び（ｂ）に示すように、頭部を保持する頭部保持部１０と、頭部保持部１０内に設けられ、毛髪の成長を促進させる光を照射する内蔵光源ユニット２０と、頭部保持部１０と別離して設けられ、毛髪の成長を促進させる光を照射する外部光源ユニット３０ａとを備える。本発明の第１の実施の形態に係る育毛装置は、内蔵光源ユニット２０及び外部光源ユニット３０ａが連動して頭部保持部１０に頭部を載せた使用者の頭部に光照射を行う。
【００１３】
頭部保持部１０は、図２（ａ）及び（ｂ）に示すように、就寝時に枕として使用する頭部の保持部である。頭部保持部１０は、収納部１４として凹部が形成されており、内部に内蔵光源ユニット２０を収納することが可能となっている。頭部保持部１０の内部に内蔵光源ユニット２０を収納した際には、内蔵光源ユニット２０の制御ケーブル２２は、外部から電力の供給を受けるために、貫通孔１２から外部へ引き出される。頭部保持部１０の内部に内蔵光源ユニット２０を収納した後には、内蔵光源ユニット２０から照射される光に対して透過性を有する透過性シート１６を被せる。透過性シート１６を被せることで柔軟性を付加することや、内蔵光源ユニット２０が外れてしまうのを防ぐことができるが、それらを容認できるのであれば透過性シート１６はなくても構わない。
【００１４】
内蔵光源ユニット２０は、毛髪の成長を促進させる光を表面から照射するように、表面近傍に発光ダイオード（ＬＥＤ）アレイ、有機電界発光（有機ＥＬ）素子、及び導光板等の光源が面発光するように構成されている。
【００１５】
内蔵光源ユニット２０の内蔵光源は、波長が０．７６〜２．５μｍの近赤外光を発する。ここで、内蔵光源が発する光の波長は、水の特異吸収波長と等しいことが好ましい。水の特異吸収波長とは、光が水に吸収される際に、他の波長に比べて強い吸光度を示す波長と定義される。水の特異吸収波長は水のＯ−Ｈ結合に起因するものであり、特に近赤外領域における水の特異吸収波長は、例えば９５０ｎｍ、１１５０ｎｍ、１４５０ｎｍ及び１７９０ｎｍである。そして、内蔵光源は、これらの水の特異吸収波長の中でも９５０ｎｍ及び／または１４５０ｎｍの波長を発することが好ましい。この波長の光であれば、皮膚に炎症を与えることなく、育毛効果を高めることができる。
【００１６】
内蔵光源ユニット２０の内蔵光源は、図示を省略した基板に実装されている。内蔵光源を実装する基板は、制御ケーブル２２を介して内蔵光源ユニット２０を制御する制御部（図示せず）と接続されている。制御部は、内蔵光源ユニット２０を発光させる電源部と、内蔵光源ユニット２０の発光パルスを制御するパルス制御部と、オンオフスイッチとを備える。制御部は、電源部として、一次電池や二次電池など出力電圧が一定な直流電源を備えていても良いし、商用電源より得た交流電圧を直流電圧に変換する機能を備えていても良い。パルス制御部は、内蔵光源ユニット２０をパルス点灯させるように内蔵光源ユニット２０を駆動制御する。パルス制御された光は、５００Ｈｚで点灯されるのが好ましい。オンオフスイッチは、スイッチをオン又はオフと選択することで、育毛装置の稼動及び停止を選択することができる。
【００１７】
また、内蔵光源ユニット２０は、圧力センサ及び接触センサ等の使用者の頭部位置を検出する頭部位置検出センサ（図示せず）を備えている。頭部位置検出センサが頭部の位置を検出することによって、検出した箇所に対してのみ内蔵光源ユニット２０の光を照射することができる。
【００１８】
外部光源ユニット３０ａは、図１（ａ）及び（ｂ）に示すように、外部光源３２ａと、外部光源３２ａが設けられた光源設置部３４ａとを備える。外部光源３２ａは、内蔵光源ユニット２０と同様の波長の光を照射する光源を採用することができ、毛髪の成長を促進させる光を照射する。外部光源３２ａは、使用者の頭部及び頭部保持部１０に非接触となるドーム状の形状である。外部光源３２ａを設置する光源設置部３４ａも、同様にドーム状の形状である。
【００１９】
次に、本発明の第１の実施の形態に係る育毛装置を用いた育毛方法について説明する。まず、本発明の第１の実施の形態に係る育毛装置は、使用者の就寝時に使用することが好ましいので、使用者は布団４０上に横たわり頭部保持部１０に頭部を乗せて睡眠の体勢を取る。そして、外部光源ユニット３０ａは、頭部を覆うようにセッティングする。
【００２０】
そして、制御部のオンオフスイッチをオンに切り替えることによって、内蔵光源ユニット２０及び外部光源ユニット３０ａを稼動させる。この時点で、使用者は就寝しても構わない。稼動された内蔵光源ユニット２０及び外部光源ユニット３０ａは、それぞれの光源から光を照射する。
【００２１】
内蔵光源ユニット２０及び外部光源ユニット３０ａが連動して照射される光は、水の特異吸収波長と同じ９５０ｎｍまたは１４５０ｎｍの波長とした光とされる。本実施形態では、９５０ｎｍの波長か１４５０ｎｍの波長の何れかの光を照射するものとする。
【００２２】
内蔵光源ユニット２０及び外部光源ユニット３０ａから照射される光は、光源を複数用意して９５０ｎｍの波長と１４５０ｎｍの波長の光を、同時または交互に照射するようにしても良い。特に、光を照射される対象者の年齢に応じて、照射される光の波長を切り替えることが好ましい。例えば、９５０ｎｍの波長の光は、５０歳以下の人を対象として照射し、１４５０ｎｍは全ての年齢の人を対象として照射することで、育毛効果がより一層向上する。これは、１４５０ｎｍの波長の光は、９５０ｎｍの波長の光に比べて水の吸収が強いため、水分の少ない年配者は１４５０ｎｍの波長の光を使用した方が育毛効果をより発揮できるものと考えられている。
【００２３】
内蔵光源ユニット２０及び外部光源ユニット３０ａが連動して照射される光は、制御部のパルス制御部によってパルス点灯される。また、内蔵光源ユニット２０及び外部光源ユニット３０ａから照射される光は、１回分の照射で１５分以上照射することによって育毛効果をより発揮できるものと考えられているので、１回あたり１５分以上照射することが好ましい。使用者の就寝の間、ある程度の間隔を開けながら、複数回の照射を行うことが好ましい。
【００２４】
内蔵光源ユニット２０の頭部位置検出センサで使用者の頭部位置を検出している場合には、内蔵光源ユニット２０及び外部光源ユニット３０ａから照射される光は、頭部を検出した箇所に対してのみ光を照射する。
【００２５】
本発明の第１の実施の形態に係る育毛装置によれば、使用者の睡眠を妨げず、育毛効果を得るために適したある一定のパワーの光を頭皮に対して照射し続けることができるので、使用者の就寝の間に自動的に頭皮ケアが可能となる。
【００２６】
また、本発明の第１の実施の形態に係る育毛装置によれば、頭部保持部１０に内蔵された内蔵光源ユニット２０により後頭部の育毛を行うことができ、外部光源ユニット３０ａにより頭頂部および生え際の育毛を行うことができる。つまり、使用者は、特に特別な負担を負うことなく、頭部全体の頭皮ケアを行うことができる。
【００２７】
また、本発明の第１の実施の形態に係る育毛装置によれば、外部光源ユニット３０ａは、頭部の形状に合わせてドーム状に外部光源を配置することによって、頭部全体に光照射をすることができる。
【００２８】
また、本発明の第１の実施の形態に係る育毛装置によれば、内蔵光源ユニット２０の頭部位置検出センサで検出していない箇所は、光を照射しないようにすれば電力の消費を押さえることができる。
【００２９】
（第２の実施の形態）
本発明の第２の実施の形態に係る育毛装置は、図３（ａ）及び（ｂ）に示すように、図１（ａ）及び（ｂ）で示した育毛装置の外部光源ユニット３０ａと比して、外部光源ユニット３０ｂの形状が異なる。その他に関して、実質的に同様である点についての重複する記載を省略する。
【００３０】
外部光源ユニット３０ｂは、図３（ａ）及び（ｂ）に示すように、水平方向に光を照射する面光源の外部光源３２ｂと、外部光源３２ｂが設けられた光源設置部３４ｂとを備える。外部光源３２ｂは、内蔵光源ユニット２０と同様の波長の光を照射する光源を採用することができ、毛髪の成長を促進させる光を照射する。外部光源ユニット３０ｂは、使用者の頭部及び頭部保持部１０に非接触となる位置に配置される。ここでは、１平面からなる外部光源ユニット３０ｂを示しているが、複数平面から頭部に向かって光を照射するような形態であっても構わない。
【００３１】
このように構成された第３の実施の形態に係る育毛装置でも、第１の実施の形態に係る育毛装置と同様の効果を得ることができる。
【００３２】
また、第２の実施の形態に係る育毛装置によれば、図３（ｂ）に示すような長い頭部保持部１０を使用している場合であって、頭部１５が寝返り等で移動してしまっても、外部光源ユニット３０ｂは頭部１５に対して光を照射することができる。
【００３３】
また、第２の実施の形態に係る育毛装置によれば、内蔵光源ユニット２０の頭部位置検出センサで検出することで、頭部１５と外部光源ユニット３０ｂとの距離に応じて光の出力を制御することで、頭皮に対して一定のパワーでの照射ができる。
【００３４】
また、第２の実施の形態に係る育毛装置によれば、内蔵光源ユニット２０の頭部位置検出センサで検出した箇所のみに、光を照射するようにすれば電力の消費を押さえることができる。
【００３５】
（第３の実施の形態）
本発明の第３の実施の形態に係る育毛装置は、図４に示すように、図１（ａ）及び（ｂ）で示した育毛装置の外部光源ユニット３０ａと比して、外部光源ユニット３０ｃの形状が異なる。その他に関して、実質的に同様である点についての重複する記載を省略する。
【００３６】
外部光源ユニット３０ｃは、図４に示すように、外部光源３２ｃと、外部光源３２ｃが設けられたドーム状の光源設置部３４ｃと、外部光源３２ｃ及び光源設置部３４ｃを支持し、稼動可能な稼動軸３６とを備える。外部光源ユニット３０ｃは、スタンド型電灯と形状は類似する。
【００３７】
稼動軸３６は、内蔵光源ユニット２０の頭部位置検出センサで検出した頭部位置に対して光を照射できるように、外部光源３２ｃ及び光源設置部３４ｃを移動させることができる。具体的には、内蔵光源ユニット２０の頭部位置検出センサで検出した頭部位置のデータを制御部に送信する。制御部は、受信した頭部位置のデータを基に、頭部を照射するための外部光源３２ｃの位置情報を算出する。そして、制御部は、算出された外部光源３２ｃの位置情報へ向かうための稼動軸３６の軸稼動情報を算出する。そして、制御部は、軸稼動情報を基に、稼動軸３６の稼動を制御し、外部光源３２ｃを頭部照射位置へ移動させる。
【００３８】
外部光源ユニット３０ｃは、更に、頭部との距離を検出する距離検出センサを備える。外部光源ユニット３０ｃは、距離検出センサで検出した距離を基に、外部光源ユニット３０ｃと頭部との距離を、常に一定に保つよう制御する。
【００３９】
このように構成された第３の実施の形態に係る育毛装置でも、第１の実施の形態に係る育毛装置と同様の効果を得ることができる。
【００４０】
また、第３の実施の形態に係る育毛装置によれば、稼動軸３６と距離検出センサとを備えることで、外部光源３２ｃと頭部との距離を一定に保つよう追尾することができる。したがって、寝返りなどで頭部位置が変わっても外部光源ユニット３０ｃに頭部が当たることがなくなり、睡眠を妨げない。
【００４１】
（その他の実施の形態）
上記のように、本発明は実施の形態によって記載したが、この開示の一部をなす記述及び図面はこの発明を限定するものであると理解するべきではない。この開示から当業者には様々な代替実施の形態、実施例及び運用技術が明らかになるはずである。
【００４２】
例えば、第１の実施の形態に係る育毛装置において、外部光源３２ａを蛇腹状の光源設置部３４ａに配置した場合には、頭皮ケアを行わないときには畳んで収納することができる。
【００４３】
このように、本発明はここでは記載していない様々な実施の形態等を包含するということを理解すべきである。したがって、本発明はこの開示から妥当な特許請求の範囲の発明特定事項によってのみ限定されるものである。
【符号の説明】
【００４４】
１０…頭部保持部
１２…貫通孔
１４…収納部
１５…頭部
１６…透過性シート
２０…内蔵光源ユニット
２２…制御ケーブル
３０ａ，３０ｂ，３０ｃ…外部光源ユニット
３２ａ，３２ｂ，３２ｃ…外部光源
３４ａ，３４ｂ，３４ｃ…光源設置部
３６…稼動軸
４０…布団
【図１】
2012011126.tif 000003
【図２】
2012011126.tif 000004
【図３】
2012011126.tif 000005
【図４】
2012011126.tif 000006